(57)【要約】【課題】骨壺を収容して祭壇上で安置するときに、内部の骨壺を外部から見ることができるようにしながら、その外観と質感によって、見た目に安易で安っぽい感じにはならず、故人の遺骨を入れた骨壺を収容するものとしての品格を備えることができる骨壺収容体を提供する。【解決手段】骨壺収容体(A)は、木製の台座(2)と、台座(2)の上部に下部を嵌合して取り付け及び取り外し可能な木製の覆体(1)によって構成されている。台座(2)は、骨壺(3)が少なくとも側部を露出した状態で載置または収容できるよう構成されている。覆体(1)は、下部が開口し骨壺(3)を内部に収めることができる筒状の胴体(10)と、胴体(10)の上部を塞ぐ天板(11)で構成されている。胴体(10)には内部の骨壺を視認できる窓部(12)が設けてある。台座(2)のうち骨壺を置く内底板(22)には、その下の経路を通り飾り孔(21)から外部へ通じる通気孔(23)が設けてある。【選択図】図１
2007135793.tif 000002
【特許請求の範囲】
【請求項１】
木製または竹製の台座(2)と、台座(2)の上部に下部を嵌合して取り付け及び取り外し可能な木製または竹製の覆体(1)によって構成されており、
上記台座(2)は、骨壺(3)が少なくとも側部を露出した状態で載置または収容できるよう構成され、
上記覆体(1)は、下部が開口し骨壺(3)を内部に収めることができる筒状の胴体(10)と、胴体(10)の上部を塞ぐ天板(11)で構成され、
上記胴体(10)には内部に収容されている骨壺(3)を視認できる窓部(12)が設けてあることを特徴とする、
骨壺収容体。
【請求項２】
台座(2)のうち骨壺(3)を置く底部(22)には、底部(22)の下の経路を通り外部へ通じる通気孔(23)が設けてあることを特徴とする、
請求項１記載の骨壺収容体。
【請求項３】
台座(2)に覆体(1)を嵌合した状態で固定するための掛け紐(4)を備え、掛け紐(4)の両端には房(40)が設けてあることを特徴とする、
請求項１または２記載の骨壺収容体。
【発明の詳細な説明】
【技術分野】
【０００１】
本発明は骨壺収容体に関するものである。更に詳しくは、収骨した骨壺を収容し、主に納骨までの間、祭壇に安置するために使用するものであって、安置している間、収容されている骨壺を覆体を外すことなく外から見ることができ、納骨後もそのまま骨壺を収容して使用する場合は、納骨室において、骨壺に入れられた遺骨の風化を助けることができるものに関する。
【背景技術】
【０００２】
故人の遺骨を入れる骨壺は、その多くが清潔感のある陶磁器でつくられている。骨壺は、通常、四十九日の納骨までの間、祭壇に安置される。この際、骨壺は、外部から衝撃などを受けても壊れることがないように木製の骨箱に収容されている。
【０００３】
従前の骨箱は、上部が開口した深い角箱状の本体を有し、開口部に四角形の板状の蓋を被せる構造である。そして、骨壺は、その全体を本体内に落とし込むようにして収容される。しかも、本体は収容された骨壺のがたつきを抑えるために、骨壺との間に隙間があまり形成されない大きさでつくられている。このため、例えば収骨の際に骨壺を本体から取り出したり入れたりするときに、隙間に指がほとんど入らないので、その取り扱いがきわめてやりにくく、骨壺を取り落として割ってしまうことさえあった。
【０００４】
このような不都合を解消するために、骨壷を収容する際、一旦台座に置いたときに骨壺の大部分が露出するように、台座側を小さく形成し、被せる蓋側を大きくした骨壺収納ケースが提案されている（特許文献１参照）。
この骨壺収納ケースは、上記したように、蓋を外すと骨壺のほとんどが露出するので、骨壺を両手でかかえて取り出すことができ、上記従前の骨箱のような問題はない。
更には、蓋を透明体または半透明体でつくり、意匠を凝らした骨壺をケースに収容したままで見せることができるようにしている。
【０００５】
【特許文献１】特開２０００−２７７
【発明の開示】
【発明が解決しようとする課題】
【０００６】
ところで、本願発明者は、骨壺を納骨堂や墓の納骨室に収めたときに、骨壺に入れた遺骨の風化を助け、故人が最終的に土に帰ることを助けるための、外部と通じる小さな貫通孔を底部に開けた骨壺を過去に提案している。この骨壺は、現在では市場の賛同を得て採用が拡がっており、一般化してきている。
【０００７】
一方、近時においては、納骨堂や墓の納骨室を開けたときに骨壺がむやみに露出することを遺族が気遣って、骨壺を裸の状態で納骨室に収めるのではなく、骨箱に収容した状態で収めることも多くなってきた。
【０００８】
しかし、上記したような本願発明者が提案して一般化している骨壺を使用する場合、この骨壺を収容するために例えば従前の骨箱や特許文献１記載の骨壺収納ケースを使用すると、骨箱や収納ケースは密閉構造であるために、骨壷の底に貫通孔が開いていても、骨壺の内部は結局外部には通じない。このため、納骨室内において、骨壺内の遺骨の風化が助けられることもなく、上記骨壺の機能性が発揮できずに、その採用が無意味になってしまう。
【０００９】
また、特許文献１記載の骨壺収納ケースにおいて、蓋を透明にして骨壺が見えるようにするには、蓋をガラスかプラスチックでつくる必要がある。しかし、蓋の全体を透明体でつくり、祭壇上で骨壺の全体が見えたり、骨壺がどの方向からでも見えるようにすると、かえって露骨に過ぎて、骨壺を祭壇に安置する本来の意味にそぐわず、好ましくない。
【００１０】
また、筒状胴部と天板が一体となった蓋をガラスでつくれば相当なコスト高になり、割れる心配もあるので取り扱いに注意を要する。
更に、蓋をプラスチックでつくれば、上記ガラスのような不都合はないものの、見た目にいかにも安易で安っぽく、このような構造ではそもそも遺骨を入れた骨壺を収容するものとしては品格に劣り不適である。
【００１１】
（本発明の目的）
本発明の目的は、骨壺を収容して祭壇上で安置するときに、内部の骨壺を外部から見ることができるようにしながら、その外観と質感によって、見た目に安易で安っぽい感じにはならず、故人の遺骨を入れた骨壺を収容するものとしての品格を備えることができる骨壺収容体を提供することである。
【００１２】
本発明の他の目的は、本願発明者が提案して一般化している底に貫通孔が開いた骨壺を使用する場合、この骨壺を収容することにより、骨壺の内部が底部の貫通孔を通じて外部とつながり、納骨室内において骨壺内の遺骨の風化を助けるという上記骨壺本来の機能性が十分に発揮できるようにした骨壺収容体を提供することである。
【課題を解決するための手段】
【００１３】
上記課題を解決するために本発明が講じた手段は次のとおりである。
第１の発明にあっては、
木製または竹製の台座と、台座の上部に下部を嵌合して取り付け及び取り外し可能な木製または竹製の覆体によって構成されており、
上記台座は、骨壺が少なくとも側部を露出した状態で載置または収容できるよう構成され、
上記覆体は、下部が開口し骨壺を内部に収めることができる筒状の胴体と、胴体の上部を塞ぐ天板で構成され、
上記胴体には内部に収容されている骨壺(3)を視認できる窓部が設けてあることを特徴とする、
骨壺収容体である。
【００１４】
第２の発明にあっては、
台座のうち骨壺を置く底部には、底部の下の経路を通り外部へ通じる通気孔が設けてあることを特徴とする、
第１の発明に係る骨壺収容体である。
【００１５】
第３の発明にあっては、
台座に覆体を嵌合した状態で固定するための掛け紐を備え、掛け紐の両端には房が設けてあることを特徴とする、
第１または第２の発明に係る骨壺収容体である。
【００１６】
台座と覆体の嵌合は、覆体を内嵌めする構造でもよいし、外嵌めする構造でもよい。
台座と覆体の外形の平面視形状は、例えば円形でもよいし、六角形や八角形などの多角形でもよく、特に限定するものではない。つまり、覆体では、胴体部分が円筒形でもよいし、六角筒形、八角筒形などの多角筒形でもよい。
【００１７】
台座と覆体をつくる木または竹の種類は特に限定しない。木は、例えば軽量で加工がしやすく高級感もあるキリ（桐）、木質が緻密で特有の芳香があり淡い色調が美しいヒノキ（檜）、加工がしやすく、しかも高級な装飾材としても珍重されるシタン（紫檀）などが採用できる。また、竹は、例えばモウソウチク（孟宗竹）が採用できるが、これに限定するものではない。
【００１８】
なお、上記のような木目に特長があり美しい木や竹を使用する場合は、切削または研磨した面をそのまま表面に出すのが好ましい。しかし、木の場合は、例えばスギ（杉）などの安価な木材を使用してつくり、表面に各種塗料を塗布したり、各種模様や柄、文字などを表すなどして高級感を出してもよい。
【００１９】
窓部の大きさは特に限定するものではないが、例えば覆体の内部に収容される骨壺表面に「南無阿弥陀仏」などの名号や、故人の没年月日、俗名または戒名などが表されている場合は、それらの文字が見える大きさに形成することもできる。
また、窓部は単に開口されている構造でもよいし、開口部にガラスやプラスチック製の透明な板を設けてもよい。
【００２０】
通気孔の「底部の下の経路を通り外部へ通じる」という構成は、例えば底部を構成する底板などに開けられた通気孔が、底部の下に設けられ通気孔に通じる空間部や通気路を通り、台座部の下部設置面や側面に設けられた孔または開口から台座の外部へ通じるというものである。
【００２１】
また、台座の底部に設けてある通気孔は、載置または収容された骨壺の底部が被さる位置に設けてある。この骨壺が、底部に外部と通じる貫通孔を開けたものである場合、骨壺内に入れられた遺骨の風化を助けるには、貫通孔と通気孔が横方向へずれないで重なる位置にあるのがより好ましいが、限定はしない。
【００２２】
（作用）
本発明に係る骨壺収容体の作用を説明する。なお、ここでは、説明で使用する各構成要件のそれぞれに、後述する実施の形態において各部に付与した符号を対応させて付与するが、この符号は、特許請求の範囲の各請求項に記載した符号と同様に、あくまで説明の理解を容易にするためであって、各構成要件の意味を上記各部に限定するものではない。
【００２３】
骨壺収容体(A)の台座(2)から覆体(1)を取り外す。台座(2)を据え置き、底部(22)の上に収骨を済ませた骨壺(3)を載置する。この状態では、骨壺(3)の側面の殆ど（一部である場合もある）が蓋(31)と共に台座(2)から露出している。骨壺(3)を載置するときには、置いたときに台座(2)の上部が被さらない部分（側部）を両手で持って作業ができるので、手が台座(2)に当たって邪魔になるようなことはなく、作業が容易にできる。
【００２４】
そして、骨壺(3)を内包するようにして覆体(1)を被せ、覆体(1)の下部を台座(2)の上部に嵌合して取り付ける。なお、骨壺(3)の表面に模様や柄、造形部などの意匠を凝らした部分、あるいは「南無阿弥陀仏」などの名号(34)や、故人の没年月日(35)、俗名(36)または戒名などが表されている場合は、それらが見えるように窓部(12)を合わせるようにする。
【００２５】
なお、台座(2)や覆体(1)と骨壺(3)の隙間は小さくしても骨壺(3)の出し入れや覆体(1)の取り付け取り外しには殆ど支障がないので、台座(2)や覆体(1)の内面を骨壺(3)の外面に近接させることにより、持ち運びするときに収容体内部での骨壺(3)のがたつきや異音の発生を防止できる。
【００２６】
このように、例えば骨壺(3)を収容して祭壇上で安置する際、骨壺(3)に外部（参列者など）へ見せたい部分があれば窓部(12)を通して見せることができ、視覚的な効果は高められる。しかも、骨壺収容体(A)を構成する台座(2)と覆体(1)は木製または竹製であるので、その木質または竹質由来の外観と質感から見た目に安易で安っぽい感じにはならず、故人の遺骨を入れた骨壺(3)を収容するものとしての十分な品格を備えている。
【００２７】
また、本願発明者が提案して一般化している底部(32)に貫通孔(33)が開いた骨壺(3)を使用する場合においては、この骨壺(3)を台座(2)に載置または収容すると、骨壺(3)の内部が底部(32)の貫通孔(33)と台座(2)の底部(22)の通気孔(23)を通じ、更に底部(22)の下の経路を通じて台座(2)の外部とつながる。
これによれば、例えば骨壺(3)を骨壺収容体(A)に収容したままで、納骨堂や墓の納骨室に収める場合、納骨室内において骨壺内の遺骨の風化を助けるという上記骨壺(3)本来の機能性が十分に発揮できる。
【００２８】
なお、上記骨壺(3)の底部(32)には、貫通孔(33)が骨壺(3)外部へ通じるための切り欠き(39)が設けてあり、この切り欠き(39)が覆体(1)の窓部(12)に通じるので、窓部(12)が開口している場合に限れば、台座(2)の底部(22)に通気孔(23)がなくても骨壺(3)内に入れられた遺骨の風化を多少は助けることができる。しかしながら、台座(2)の底部(22)に通気孔(23)を設けることで、風化を更に促進することが可能になり機能性はより向上する。
【００２９】
台座(2a)に覆体(1)を嵌合した状態で固定するための掛け紐(4)を備え、掛け紐(4)の両端には房(40)が設けてあるものは、掛け紐(4)を台座(2a)と覆体(1)の上下に回し掛けて結んで、房(40)を覆体(1)の窓部(12)脇などに垂らすことにより、より落ち着いた雰囲気と高級感を演出することができる。
【発明の効果】
【００３０】
（ａ）本発明は、骨壺を収容して祭壇上で安置するときに、内部の骨壺を外部から見ることができるようにしながら、木質または竹質由来の外観と質感によって、見た目に安易で安っぽい感じにはならず、故人の遺骨を入れた骨壺を収容するものとしての品格を備えることができる骨壺収容体を提供することができる。
【００３１】
（ｂ）台座のうち骨壺を置く底部に、底部の下の経路を通り外部へ通じる通気孔が設けてあるものは、本願発明者が提案して一般化している底に貫通孔が開いた骨壺を使用する場合において、この骨壺を台座に載置または収容すると、骨壺の内部が底部の貫通孔と台座の底部の通気孔を通じ、更に底部の下の経路を通じて台座の外部とつながる。
これによれば、例えば骨壺を骨壺収容体に収容したままで、納骨堂や墓の納骨室に収める場合、納骨室内において骨壺内の遺骨の風化を助けるという上記骨壺本来の機能性が十分に発揮できるようにした骨壺収容体を提供することができる。
【００３２】
（ｃ）台座に覆体を嵌合した状態で固定するための掛け紐を備え、掛け紐の両端には房が設けてあるものは、掛け紐を台座と覆体の上下に回し掛けて結んで、房を覆体の窓部脇などに垂らすことにより、より落ち着いた雰囲気と高級感を演出することができる。
【発明を実施するための最良の形態】
【００３３】
本発明を図に示した実施例に基づき詳細に説明する。
【実施例】
【００３４】
図１は本発明に係る骨壺収容体の一実施の形態を示す分解斜視図、
図２は骨壺収容体の縦断面図である。
【００３５】
骨壺収容体Ａは、木製の台座２と覆体１により構成されている。なお、本実施の形態では桐を採用しているが、他の種類の木材や竹材を採用してもよい。
台座２は、縦方向の長さがやや短い八角筒状の胴体２０を有している。胴体２０の正面となる側の三面の下縁部には、飾り孔２１が表裏面を貫通して設けてある。これら飾り孔２１は、通気を行う機能を有している。
【００３６】
胴体２０の内部側には、上げ底板２２がやや上縁部寄りに胴体２０の上下縁部と平行に固着してある。上げ底板２２は正八角形であり、周縁部は胴体２０の内面に密着させてある。そして、上げ底板２２の中心部には、円形の通気孔２３が表裏面を貫通して設けてある。胴体２０の上縁部から上げ底板２２までの深さは、骨壺を載置したときに側部の殆どが胴体２０の上縁部から露出するように形成してある。
【００３７】
覆体１は、八角筒状の胴体１０を有している。胴体１０は、上記台座２の胴体２０の上部にほぼ隙間なく内嵌めができるように、胴体２０よりやや径小につくられている。胴体１０の内径は、使用される骨壺が胴体１０の内面との間で無駄な空間を生じることなく収まるよう設定されている。
【００３８】
また、胴体１０は、台座２の胴体２０より縦方向に長く形成されており、本実施の形態では約３．５倍である。なお、胴体１０と胴体２０の長さの比はこれに限定されるものではなく適宜設定が可能である。なお、使用される骨壺の大きさは、地域や宗教、宗派によって異なる場合があるので、台座２及び覆体１の各部の大きさをそれぞれに合わせてつくることはいうまでもない。
【００３９】
胴体１０の内部側には、天板１１がほぼ上端部に胴体１０の上下縁部と平行に固着してある。胴体１０の正面となる側の三面に渡るように、窓部１２が表裏面を貫通して設けてある。窓部１２の開口縁は、正面視でほぼ長方形状である。また、窓部１２の左右両側となる面の上部には、それぞれ房１３が取り付けてある。
そして、覆体１は台座２に図１に示すように、窓部１２と飾り孔２１の位置を合わせるようにして装着される。
【００４０】
（作用）
図３は骨壺収容体の内部に骨壺を収容している状態を示す斜視説明図、
図４は骨壺収容体の内部に骨壺を収容している状態の縦断面説明図である。
図１ないし図４を参照して、本実施の形態に係る骨壺収容体の使用方法及び作用を説明する。
【００４１】
ここで、使用する骨壺３の構造を説明する。骨壺３は陶磁器製であり、本願発明者が提案してすでに一般化しているもので、有底円筒形状の本体３０と蓋体３１から構成されている。本体３０の底部３２と中央には貫通孔３３が設けられている。なお、貫通孔３３を覆うようにネットを設けてもよい。本体３０の底部３２はやや上げ底となっており、下縁部には通気のための切欠部３９が設けてある。
【００４２】
骨壺３の収容にあたって、まず、骨壺収容体Ａの台座２から覆体１を取り外す。
次に台座２を据え置き、台座の上げ底板２２の上に収骨を済ませた骨壺３を載置する。この状態では、骨壺３の本体３０の側面の殆どが蓋体３１と共に台座２の上縁部から露出している。
【００４３】
つまり、骨壺３を載置するときには、置いたときに台座２の上部が被さらない部分である本体３０の側面を両手で持って作業ができるので、手が台座２に当たって邪魔になるようなことはなく、作業が容易にできる。なお、骨壺３を台座２に収めるときは、本体３０の表面に刻設されている名号３４、没年月日３５、俗名３６が正面となるように、すなわち台座２の飾り孔２１の位置と合わせて置くようにする。
【００４４】
そして、骨壺３を内包するようにして覆体１を被せ、覆体１の胴体１０の下部を台座２の胴体２０の上部に内嵌めして取り付ける。なお、このとき、骨壺３の本体３０表面に設けてある名号３４、没年月日３５、俗名３６が外部から見えるように、窓部１２の位置を合わせるようにする（図３参照）。
【００４５】
なお、収容された骨壺３と覆体１の胴体１０及び天板１１の間には、無駄な隙間がないように形成してある（図４参照）ので、持ち運びするときに骨壺収容体Ａ内部での骨壺３のがたつきや異音の発生を防止できる。また、骨壺収容体Ａの構造によれば、骨壺３の表面と胴体１０や天板１１内面が近接しても、骨壺３の出し入れや覆体１の取り付け取り外しにおいて殆ど支障なく作業ができる。
【００４６】
このように、例えば骨壺３を収容して祭壇上で安置する際、骨壺３に外部（参列者など）へ見せたい部分があれば窓部１２を通して見せることができるので、視覚的な効果は高められる。しかも、骨壺収容体Ａを構成する台座２と覆体１は桐製であるので、特許文献１記載の骨壺収納ケースのように内部を見せるために蓋全体を透明なプラスチックなどでつくるものと異なり、その木質由来の外観と質感から、見た目に安易で安っぽい感じにはならず、故人の遺骨を入れた骨壺３を収容するものとしての十分な品格を備えている。
【００４７】
また、骨壺３を骨壺収容体Ａ内部に収容すると、骨壺３の内部は底部の貫通孔３３と台座２の上げ底板２２の通気孔２３を通じ、更に上げ底板２２の下の空間部（符号省略）から台座２の各飾り孔２１までが経路として台座２の外部とつながり、図４に矢印で示したように空気が流通する。
これによれば、例えば骨壺３を骨壺収容体Ａに収容したままで、納骨堂や墓の納骨室に収める場合、底部に貫通孔３３を設けることによって納骨室内において骨壺３内の遺骨の風化を助けるという骨壺３本来の機能性が十分に発揮できる。
【００４８】
図５は骨壺収容体の他の実施の形態を示し、内部に骨壺を収容している状態の斜視説明図である。
なお、本実施の形態では、図面において上記骨壺収容体Ａと同等箇所に同一符号を付して示し、構造について重複する説明は基本的に省略する。
【００４９】
骨壺収容体Ｂは、台座２ａ、覆体１及び掛け紐４により構成されている。覆体１の構造は、上記骨壺収容体Ａの覆体１と同様である。
台座２ａには、上記骨壺収容体Ａの台座２と相違して、飾り孔２１が胴体２０の全八面に対して設けてある。この飾り孔２１は、掛け紐４を掛けることによって、掛け紐４がずれないようにする機能性を有するものである。
【００５０】
掛け紐４は、編み紐で構成されている。掛け紐４は、台座２ａに覆体１を嵌合した状態で上部から下部を通るように掛け回し、結んで固定することができる長さを有しており、両端部には房４０が設けてある。
そして、掛け紐４は、図５に示すように、内部に骨壺３を収容した状態で結ばれて、各房４０を窓部１２の両脇に垂らすようにする。これにより、骨壺収容体Ａより更に落ち着いた雰囲気と高級感を演出することができる。
【００５１】
なお、本明細書で使用している用語と表現は、あくまで説明上のものであって限定的なものではなく、上記用語、表現と等価の用語、表現を除外するものではない。また、本発明は図示されている実施の形態に限定されるものではなく、技術思想の範囲内において種々の変形が可能である。
【図面の簡単な説明】
【００５２】
【図１】本発明に係る骨壺収容体の一実施の形態を示す分解斜視図。
【図２】骨壺収容体の縦断面図。
【図３】骨壺収容体の内部に骨壺を収容している状態を示す斜視説明図。
【図４】骨壺収容体の内部に骨壺を収容している状態の縦断面説明図。
【図５】骨壺収容体の他の実施の形態を示し、内部に骨壺を収容している状態の斜視説明図。
【符号の説明】
【００５３】
Ａ  骨壺収容体
１  覆体
１０  胴体
１１  天板
１２  窓部
１３  房
２  台座
２０  胴体
２１  孔
２２  底板
２３  通気孔
３  骨壺
３０  本体
３１  蓋体
３２  底部
３３  貫通孔
３４  名号
３５  没年月日
３６  俗名
３９  切欠部
Ｂ  骨壺収容体
２ａ  台座
４  掛け紐
４０  房
【図１】
2007135793.tif 000003
【図２】
2007135793.tif 000004
【図３】
2007135793.tif 000005
【図４】
2007135793.tif 000006
【図５】
2007135793.tif 000007